(57)【要約】【課題】使い捨てるときや、持ち運ぶときに、手が汚れ難い雨天用靴カバーを提供する。【解決手段】雨天用靴カバー１０は、靴形状に形成されたカバー本体２０と、カバー本体２０の内側の底部分に設けられた袋部３０とを備えている。カバー本体２０の底部に設けられた袋部３０の底部からカバー本体２０を挿入することで、裏返された袋部３０にカバー本体２０を収納する。カバー本体２０の濡れていない内側面を持ちながら袋部３０に収納することができるため、手を汚し難い。また、持ち運ぶ際に鞄に入れても鞄を汚すことがない。コンパクトになった雨天用靴カバー１０は、このまま捨てることができる。【選択図】図１
2018057623.tif 000002
【特許請求の範囲】
【請求項１】
靴形状に形成されたカバー本体と、前記カバー本体の内側に設けられた袋部とを備え、前記袋部は、裏返された状態で前記カバー本体を収納するものである雨天用靴カバー。
【請求項２】
前記カバー本体は、底部分を形成するソール部と、前記ソール部の周縁から延びるアッパー部とを備えた請求項１記載の雨天用靴カバー。
【請求項３】
前記袋部は、前記ソール部の上面に配置された請求項２記載の雨天用靴カバー。
【請求項４】
前記ソール部は、二つ折り、または分割可能に形成されている請求項２または３記載の雨天用靴カバー。
【請求項５】
前記ソール部には、前記ソール部の長さ方向または幅方向の長さを調整する伸縮部が形成されている請求項２から４のいずれかの項に記載の雨天用靴カバー。
【請求項６】
前記アッパー部の下部周壁には、高さ方向の長さを調整する伸縮部が形成されている請求項２から５のいずれかの項に記載の雨天用靴カバー。
【請求項７】
前記袋部の開口部に、リング状部材が設けられた請求項２から６のいずれかの項に記載の雨天用靴カバー。
【請求項８】
前記アッパー部を前記ソール部から履き口までに沿って左右に分ける分割部が形成された請求項２から７のいずれかの項に記載の雨天用靴カバー。
【請求項９】
前記袋部を覆うカバー部材が設けられた請求項１から８のいずれかの項に記載の雨天用靴カバー。
【請求項１０】
前記袋部の底部に、前記カバー本体を引き込むためのタブ部が設けられた請求項１から９のいずれかの項に記載の雨天用靴カバー。
【発明の詳細な説明】
【技術分野】
【０００１】
本発明は、降雨時に靴を履いたまま装着することで、靴を雨水から保護する雨天用靴カバーに関するものである。
【背景技術】
【０００２】
降雨時に歩行したり自転車に乗ったりすると靴が濡れて、靴の縫い目から染み込んだり、履き口から水滴が入り込んだりして、靴下まで濡れることがある。また、ズボンの裾が濡れることがある。このようなときに、靴を雨水から保護する従来の雨天用靴カバーが知られている（例えば、特許文献１，２参照）。
【０００３】
特許文献１に記載の靴とズボンの防水カバーは、装着した状態のときに、ズボンのベルトに挟み込むか、ズボンのベルト通しに固定するか、又はピンなどでズボンに留めて固定するかして、歩いてもずり落ちないようにするためのバンドが設けられ、使い捨てとする場合は使用後、取り外し易いように、両サイド、又は一方側に上部から底部までミシン目を入れておき、使用後ミシン目からカバーを破って取り外せるようにしたものである。
【０００４】
特許文献２に記載の使い捨て式防水靴・裾カバーは、使い捨て式のカバー本体と、繰り返して使用可能な落下防止棒を備え、カバー本体は、裾の周囲を覆うことのできる筒状の裾カバー部と、靴の上面と側面を覆うことのできる靴カバー部とが一体化されたものであり、落下防止棒は、前後方向に可撓性が付与される棒から形成され、カバー本体がずり落ちるのを防止するためのものである。
【先行技術文献】
【特許文献】
【０００５】
【特許文献１】特開２００４−１６０１２２号公報
【特許文献２】特開２０１２−１４７８１７号公報
【発明の概要】
【発明が解決しようとする課題】
【０００６】
特許文献１，２に記載の従来の雨天用靴カバーは、使い捨てであるが、雨水に濡れた後に、カバー部分を纏める際には、手や服の袖口に雨水や泥水が付いて汚れるおそれがある。また、使用後に持ち帰って捨てる場合や、使い捨てせずに使用後に持ち帰って再度使用する場合に、鞄などに収納するときに、鞄の中が雨水や泥水で汚れてしまう。
従って、使い捨てるときや、持ち運ぶときに、手が汚れにくい新規の雨天用靴カバーが求められている。
【０００７】
そこで本発明は、使い捨てるときや、持ち運ぶときに、手が汚れ難い雨天用靴カバーを提供することを目的とする。
【課題を解決するための手段】
【０００８】
本発明の雨天用靴カバーは、靴形状に形成されたカバー本体と、前記カバー本体の内側に設けられた袋部とを備え、前記袋部は、裏返された状態で前記カバー本体を収納するものであることを特徴とする。
【０００９】
本発明の雨天用靴カバーによれば、カバー本体の内側に設けられた袋部の底部からカバー本体を挿入することで、裏返された袋部にカバー本体を収納できるため、カバー本体の濡れていない内側面を持ちながら袋部に収納することができる。
【００１０】
前記カバー本体は、底部分を形成するソール部と、前記ソール部の周縁から延びるアッパー部とを備えることができる。カバー本体がソール部とアッパー部とを備えているため、装着者はあたかも靴を履く感覚で、本発明の雨天用靴カバーを履くことができる。
【００１１】
前記袋部を、前記ソール部の上面に配置すると、本発明の雨天用靴カバーを履き終わったときに、ソール部の上面に配置された袋部を履き口から引き出し、アッパー部を収納することができる。
【００１２】
前記ソール部は、二つ折り、または分割可能に形成されていると、ソール部を折り曲げ、薄くコンパクトになった状態で袋部の開口部を通過させることができる。
【００１３】
前記ソール部に、前記ソール部の長さ方向または幅方向の長さを調整する伸縮部が形成されていると、ソール部の長さや幅を、伸縮部により調整することができる。
【００１４】
前記アッパー部の下部周壁に、高さ方向の長さを調整する伸縮部が形成されていると、装着者の足が甲高や幅広であっても、伸縮部によりアッパー部の高さ（甲部の厚み）を調整することができる。
【００１５】
前記袋部の開口部に、リング状部材が設けられていると、装着者はリング状部材を掴んで袋部を引き延ばすことができる。
【００１６】
前記アッパー部を前記ソール部から履き口までに沿って左右に分ける分割部が形成されていると、アッパー部を右半分と左半分に大きく分けて、開口させることができるので、本発明の雨天用靴カバーから靴を簡単に脱ぐことができる。
【００１７】
前記袋部を覆うカバー部材が設けられていると、靴をカバー本体に挿入しても袋部が邪魔にならない。
【００１８】
前記袋部の底部に、前記カバー本体を引き込むためのタブ部が設けられていると、装着者がタブ部を掴み、袋部の底部に繋がるカバー本体を、袋部の開口部から引き出し、袋部を裏返しながら、袋部の開口部へ向かわせることにより、カバー本体を袋部の中に収納させることができる。
【発明の効果】
【００１９】
本発明の雨天用靴カバーによれば、カバー本体の濡れていない内側面を持ちながら袋部に収納することができるので、使い捨てるときや、持ち運ぶときに、手を汚れ難くすることができる。
【図面の簡単な説明】
【００２０】
【図１】本発明の実施の形態に係る雨天用靴カバーを示す斜視図である。
【図２】図１に示す雨天用靴カバーのソール部の底面図である。
【図３】図１に示す雨天用靴カバーを履いて巻き付け部を固定する操作を説明するための側面図である。
【図４】図１に示す雨天用靴カバーの袋部にカバー本体を収納する操作を説明するための側面図である。
【図５】図１に示す雨天用靴カバーの袋部にカバー本体を収納した状態を説明するための図である。
【図６】図１に示す雨天用靴カバーの変形例を説明するための図である。
【発明を実施するための形態】
【００２１】
本発明の実施の形態に係る雨天用靴カバーを図面に基づいて説明する。
図１および図２に示す雨天用靴カバー１０は、靴形状に形成されたカバー本体２０と、カバー本体２０の内側の底部分に設けられた袋部３０とを備えている。
カバー本体２０は、爪先から足首部分までを雨水から保護するように形成されている。カバー本体２０は、底部分を形成するソール部２１と、ソール部２１の周縁から延びるアッパー部２２とを備えている。
【００２２】
ソール部２１は、雨天用靴カバー１０の靴底である。ソール部２１は、不透水性を有する硬質素材であれば、様々なものが使用できる。例えば、ソール部２１は、樹脂製とすることができる。ソール部２１の中央部の踏まず部には、ソール部２１の長さ方向の長さを調整する蛇腹部２１１が伸縮部として形成されている。
【００２３】
アッパー部２２は、ソール部２１の周縁２１２から上方に延びるように筒状に形成されている。アッパー部２２は、不透水性のフィルム部材またはシート部材により形成されている。本実施の形態では、アッパー部２２は、簡単に減容できるビニールフィルム製である。
アッパー部２２の後端部には、踵部２２１から履き口２２２に向かうに従って徐々に後方に拡がる巻き付け部２２３が形成されている。
巻き付け部２２３における履き口２２２の後端部には、足首に巻き付けたときに、アッパー部２２の側面に固定するための両面テープによる固定用テープ２２３ａが配置されている。
また、履き口２２２の側面側には、固定用テープ２２３ａにより巻き付け部２２３を接着した固定部分を保護するためのカバー片２２４が形成されている。
アッパー部２２には、爪先部２２５から履き口２２２までの甲部２２６を左右に分ける分割部２２７が形成されている。本実施の形態では、分割部２２７を分割テープとしている。分割テープは、甲部２２６の左半分と右半分の縁部同士を接着するものである。
【００２４】
袋部３０は、ソール部２１の上面に設けられている。袋部３０は、ソール部２１から上方に向かうに従って徐々に細くなる切頭円錐形状に形成されている。袋部３０の水平断面形状は楕円形とするのが望ましいが、矩形状やその他の多角形状、異形状としてもよい。
袋部３０は、ビニールフィルム製である。袋部３０の上端に位置する開口部３１には、リング状部材３２が形成されている。リング状部材３２は、硬質または伸縮性を有するものとすることができる。例えば、リング状部材３２は、樹脂製としたり、ゴム製としたりすることができる。リング状部材３２を伸縮性を有するものとすると、ソール部２１を挿通させるとき、リング状部材３２が延びてソール部２１を通過させやすい。袋部３０の底部には、袋部３０に固定されると共に、ソール部２１とも固定されるタブ部３３が形成されている。
【００２５】
この袋部３０は、カバー本体２０の内側の底部分（ソール部２１）に設けられたカバー部材４０により覆われている。カバー部材４０は、袋部３０全体が覆われていればよいが、本実施の形態では輪郭形状がソール部２１と同形状のシート部材により形成されている。カバー部材４０は、ソール部２１の周縁に、アッパー部２２と一緒に、カバー部材４０の周縁部が接着されて固定されている。
【００２６】
以上のように構成された本発明の実施の形態に係る雨天用靴カバー１０の使用状態を図面に基づいて説明する。
図１および図３に示すように、装着者は、靴を履いたまま、履き口２２２から靴を差し込み、雨天用靴カバー１０を履く。アッパー部２２の後端部は、踵部２２１から履き口２２２に向かうに従って徐々に後方に拡がっているため、履き口２２２が大きく開口しているので、簡単に靴を差し込むことができる。
カバー本体２０がソール部２１とアッパー部２２とから形成されているため、装着者はあたかも靴を履く感覚で雨天用靴カバー１０を履くことができる。
【００２７】
次に、巻き付け部２２３における履き口２２２の後端部をアッパー部２２の側面に巻き付けて、固定用テープ２２３ａをアッパー部２２の側面に貼り付けることで、巻き付け部２２３を固定する。
そして、巻き付け部２２３の固定用テープ２２３ａ部分にカバー片２２４を折り曲げる。そうすることで、カバー片２２４が固定用テープ２２３ａの接着面に貼り付き、カバー片２２４が固定用テープ２２３ａを覆った状態で固定される。カバー片２２４によって、巻き付け部２２３の固定用テープ２２３ａが、直接、雨に晒されることが防止できるため、固定用テープ２２３ａの接着力の低下を防止することができる。また、固定用テープ２２３ａを両面テープとしているため、固定用テープ２２３ａの両面の接着面を保護する剥離シートを一度に剥がすだけで、巻き付け部２２３の固定と、カバー片２２４の固定とを行うことができる。
【００２８】
装着者が靴を履いたままで、雨天用靴カバー１０を履くと、靴の長手方向のサイズに合わせて、蛇腹部２１１が伸長したり、縮小したりするため、装着者の靴のサイズに応じて雨天用靴カバー１０のサイズを可変させることができる。
また、カバー本体２０の内側の底部分に袋部３０が設けられているが、袋部３０を覆うカバー部材４０が設けられているため、袋部３０がカバー本体２０の底部分にまとまりよく収まる。従って、靴をカバー本体２０に挿入しても袋部３０が邪魔にならない。
装着者はこのような状態で降雨の中、歩行したり、自転車に乗ったり、バイクを運転したりすることができる。
【００２９】
雨天用靴カバー１０の使用が終わると、次に、装着者は雨天用靴カバー１０を脱ぎ、使い捨てするため、または、持ち運ぶために、雨天用靴カバー１０を袋部３０に収納する。
まず、図４に示すように、装着者は雨天用靴カバー１０を脱ぐためには、分割部２２７（図１参照）により甲部２２６を開口させる。甲部を開口するときには、分割部２２７としての分割テープを、履き口２２２から爪先部２２５に向かって、若しくは爪先部２２５から履き口２２２に向かって引き剥がす。そうすることで、甲部２２６が右半分と左半分に大きく分かれ、開口させることができるので、雨天用靴カバー１０から靴を簡単に取り出すことができる。
分割部２２７を省略するときには、少し面倒になるが、巻き付け部２２３を剥がして、履き口２２２から靴を履いた足を雨天用靴カバー１０から脱いでもよい。
【００３０】
次に、カバー部材４０を剥がし、袋部３０を取り出す。袋部３０を取り出すときには、図４に示すように、リング状部材３２を掴み、ソール部２１の上面に位置するタブ部３３を、袋部３０の開口方向Ｆ１へ引っ張る。そうすることで、ソール部２１が袋部３０の底部から開口方向Ｆ１へ向かう。このとき、蛇腹部２１１の部分でソール部２１が二つ折りされる。
【００３１】
リング状部材３２が袋部３０の開口部３１に形成されているため、袋部３０を掴み容易に引っ張り、引き延ばすことができる。また、リング状部材３２が袋部３０の開口部３１に形成されても、ソール部２１が二つ折りされるため、コンパクトになったソール部２１は、スムーズにリング状部材３２を通過することができる。
【００３２】
図５に示すように、タブ部３３を更に引っ張り、袋部３０の開口であるリング状部材３２を抜けると、ソール部２１に引き続いてアッパー部２２が裏返った状態で、リング状部材３２を抜ける。そうすることで、袋部３０が裏返された状態で、カバー本体２０（ソール部２１およびアッパー部２２）を袋部３０に収納することができる。袋部３０の中でまとまったカバー本体２０を、更にリング状部材３２に外側から通せば、まとまったカバー本体２０がリング状部材３２に係止するので、雨天用靴カバー１０を更にコンパクトにすることができる。
【００３３】
このように本実施の形態に係る雨天用靴カバー１０によれば、カバー本体２０の底部に設けられた袋部３０の底部からカバー本体２０を挿入することで、裏返された袋部３０にカバー本体２０を収納できるため、カバー本体２０の濡れていない内側面を持ちながら袋部３０に収納することができる。従って、雨天用靴カバー１０は、使い捨てるときや、持ち運ぶときに、手が汚れ難い。
【００３４】
袋部３０にカバー本体２０が収納できれば、そのままごみ箱に捨てたり、鞄に収納したりすることができる。鞄に収納しても、袋部３０が濡れたカバー本体２０を収納しているため鞄内部が濡れることが防止できる。そのため、持って帰ってごみ箱に捨てたり、持って帰った後に、カバー本体２０を袋部３０から取出し、左右に分かれた甲部２２６を固定用テープ（分割テープ）により接着して再利用したりすることができる。
【００３５】
なお、本実施の形態では、図１および図２に示すように、袋部３０は、カバー本体２０の内側であるソール部２１の上面に形成されていたが、アッパー部２２の内側としてもよい。例えば、袋部３０の配置場所を、アッパー部２２の爪先部の内側としてもよい。
【００３６】
ソール部２１の中央部に蛇腹部２１１が形成されているため、ソール部２１の長さが調整できたり、ソール部２１を二つ折りすることができたりしていたが、ソール部を二つ折りしたり、分割したりするために、ソール部の幅方向に沿って、厚みが薄い部分を形成したり、破断線を形成したりしてもよい。
ソール部２１の蛇腹部２１１は、ソール部２１の長さ方向の長さが調整できればよいので、伸縮部として機能する弾性部材により靴を履いたときに伸び縮みさせてサイズを調整してもよい。
【００３７】
更に、蛇腹部２１１は、ソール部２１の幅方向に沿って形成されているため、ソール部２１の長さ方向の長さが調整できるが、ソール部２１の踵部から爪先部まで、長さ方向に沿って形成されていてもよい。そうすることで、ソール部２１の幅方向の長さが伸縮できるため、ソール部２１の幅を調整することができる。
【００３８】
また、図６（Ａ）および同図（Ｂ）に示すように、雨天用靴カバー１１では、アッパー部２２の下部周壁２２８に、高さ方向Ｆ２の長さを調整する伸縮部として機能する蛇腹部２２９が形成されている。本実施の形態では、蛇腹部２１１の位置を除く下部周壁２２８に、蛇腹部２２９が形成されている。高さ方向Ｆ２の長さを調整する蛇腹部２２９が形成されているので、装着者の足が甲高や幅広であっても、蛇腹部２２９によりアッパー部２２の高さ（甲部２２６の厚み）を調整することができる。
また、蛇腹部２２９は、蛇腹部２１１の位置を除いて形成されているため、蛇腹部２１１，２２９のいずれの伸縮も邪魔にならない。従って、爪先部２２５から踵部２２１までのソール部２１の長さの調整をしつつ、アッパー部２２の高さの調整することができる。
【００３９】
また、甲部２２６の左右に分割する分割部２２７として分割テープが形成されていたが、破断線を形成して、甲部２２６を破るようにして分割してもよい。
更に、分割部２２７は、甲部２２６を左右に分割するものとして、カバー本体２０に形成されていたが、カバー本体２０の踵部２２１から履き口２２２までに分割部を形成することで、カバー本体２０の後部が左右に分割できるようにしてもよい。更に、分割部は、アッパー部２２の他の場所としてもよい。
【００４０】
図３に示すように、巻き付け部２２３により履き口２２２を絞り、アッパー部２２を足首に固定していたが、更に、固定バンドを雨天用靴カバー１０の付属品として添付して、固定バンドによりアッパー部２２の足首部分を緊縛してもよい。
【００４１】
タブ部３３がソール部２１の上面に形成されているため、装着者がタブ部３３を掴み、簡単に、ソール部２１を袋部３０の底部から、袋部３０を裏返しながら、袋部３０の開口部３１へ向かわせることができるが、袋部３０の底部を直接掴んで引き上げれば、タブ部３３は省略してもよい。
【産業上の利用可能性】
【００４２】
本発明の雨天用靴カバーは、降雨時に靴を履いたまま装着することで、靴を雨水から保護することができるだけでなく、使い捨てが容易で、汚れも気にすること無く持ち運べるため、コンビニエンスストアなどで販売して、急な降雨な対応に好適である。
【符号の説明】
【００４３】
１０，１１  雨天用靴カバー
２０  カバー本体
２１  ソール部
２１１  蛇腹部
２１２  周縁
２２  アッパー部
２２１  踵部
２２２  履き口
２２３  巻き付け部
２２３ａ  固定用テープ
２２４  カバー片
２２５  爪先部
２２６  甲部
２２７  分割部
２２８  下部周壁
２２９  蛇腹部
３０  袋部
３１  開口部
３２  リング状部材
３３  タブ部
４０  カバー部材
Ｆ１  開口方向
Ｆ２  高さ方向
【図１】
2018057623.tif 000003
【図２】
2018057623.tif 000004
【図３】
2018057623.tif 000005
【図４】
2018057623.tif 000006
【図５】
2018057623.tif 000007
【図６】
2018057623.tif 000008
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
靴形状に形成されたカバー本体と、前記カバー本体の内側に設けられた袋部とを備え、
前記カバー本体は、底部分を形成するソール部と、前記ソール部の周縁から延びるアッパー部とを備え、
前記袋部は、前記ソール部の上面に底部が固定され、上端に開口部が形成されたものであり、前記ソール部を前記袋部の底部から前記袋部の開口方向へ向かわせ、前記開口部を通過させて、前記袋部を前記カバー本体の内側の前記ソール部に配置された状態から裏返された状態とすることで、前記カバー本体を収納するものである雨天用靴カバー。
【請求項２】
前記ソール部は、二つ折り、または分割可能に形成されている請求項１記載の雨天用靴カバー。
【請求項３】
前記ソール部には、前記ソール部の長さ方向または幅方向の長さを調整する伸縮部が形成されている請求項１または２記載の雨天用靴カバー。
【請求項４】
前記アッパー部の下部周壁には、高さ方向の長さを調整する伸縮部が形成されている請求項１から３のいずれかの項に記載の雨天用靴カバー。
【請求項５】
前記袋部の開口部に、リング状部材が設けられた請求項１から４のいずれかの項に記載の雨天用靴カバー。
【請求項６】
前記アッパー部を前記ソール部から履き口までに沿って左右に分ける分割部が形成された請求項１から５のいずれかの項に記載の雨天用靴カバー。
【請求項７】
前記カバー本体の内側の前記ソール部に、前記袋部を覆うカバー部材が設けられた請求項１から６のいずれかの項に記載の雨天用靴カバー。
【請求項８】
前記袋部の底部に、前記カバー本体を引き込むためのタブ部が設けられた請求項１から７のいずれかの項に記載の雨天用靴カバー。